(57)【要約】【課題】  挿入力に対して離脱力を大きくすることができ、しかも耐久性に優れた固定具を提供すること。【解決手段】  本発明を適用した木部用クランプのクランプ部１０は、有底穴９９に挿入される脚部１１と、脚部１１から外周方向に突出し、脚部１１の挿入時には弾性変形して有底穴９９の内壁面に向けて押圧されるバネ部１３と、脚部１１の外周面に形成され、バネ部１３の先端部１３ａに対して脚部１１が抜去方向に移動するとき、バネ部１３を外周方向に押圧する突起１５と、バネ部１３の外周面に突設された突出片１７とを有している。このため、クランプ部１０の抜去時には、バネ部１３の先端部１３ａが突起１５に乗り上げ、これによってバネ部１３は外周方向に押圧される。従って、挿入力Ｆ１よりも離脱力Ｆ２を大きくすることができる。【選択図】  図３
2005076740.tif 000002
【特許請求の範囲】
【請求項１】
穴部に挿入される脚部と、
該脚部から外周方向に突出し、上記脚部の挿入時には弾性変形して上記穴部の内壁面に向けて押圧されるバネ部と、
を備えた固定具であって、
上記脚部の外周に形成され、上記バネ部の少なくとも先端部に対して上記脚部が抜去方向に移動するとき、上記バネ部を外周方向に押圧する突起を、
備えたことを特徴とする固定具。
【請求項２】
上記バネ部の上記内壁面への押圧面に、そのバネ部より小さく弾性変形可能な複数の突出片が形成されたことを特徴とする請求項１記載の固定具。
【請求項３】
上記バネ部が、上記脚部の先端近傍から上記脚部の抜去方向に傾斜して突出し、
上記突出片が、上記抜去方向に対して略直角に突出したことを特徴とする請求項２記載の固定具。
【請求項４】
上記バネ部の先端部がそのバネ部の他部より厚肉に形成され、上記突起がその先端部近傍に当接して上記バネ部を外周方向に押圧することを特徴とする請求項１〜３のいずれかに記載の固定具。
【請求項５】
上記バネ部の上記先端部と上記他部との連接部が、上記バネ部の弾性変形時に上記脚部と対向する側に傾斜面を有し、
上記突起が、上記バネ部の少なくとも先端部に対して上記脚部が抜去方向に移動するとき上記傾斜面に当接する傾斜面を有することを特徴とする請求項４記載の固定具。
【請求項６】
上記脚部及びバネ部の上記穴部への挿入時には、上記バネ部の先端部が上記脚部の外周に当接することを特徴とする請求項４または５記載の固定具。
【発明の詳細な説明】
【技術分野】
【０００１】
本発明は、電線やプリント配線基板等の部材を固定するための固定具に関し、詳しくは、木部等に形成された有底穴にもそれらの部材を固定することのできる固定具に関する。
【背景技術】
【０００２】
従来より、木部等に形成された有底穴に電線等を固定する固定具として、有底穴に挿入される脚部と、該脚部から外周方向に突出し、上記脚部の挿入時には弾性変形して上記有底穴の内壁面に向けて押圧されるバネ部と、を備えたものが考えられている。この種の固定具では、脚部及びバネ部を有底穴に圧入するとバネ部が有底穴の内壁面に向けて押圧され、このバネ部が内壁面を押圧する力によって脚部が有底穴に固定される。脚部の木部表面側端部に電線等を固定可能なクランプ等を設けておけば、電線等を木部等に固定することができる。
【０００３】
ところが、バネ部が単純な板バネ状の構造である場合、バネ定数を上げて脚部が有底穴から離脱し難くすると、脚部を有底穴に挿入する際の挿入力も大きくする必要がある。大きな挿入力が必要となると、その固定具を用いた電線等の固定作業も作業性が低下してしまう。
【０００４】
そこで、バネ部を偏心した球形に形成し、脚部の抜去時にはバネ部を外径が増加する方向に回動させて有底穴の内壁面に圧接することが考えられている。この場合、挿入力に対して離脱に要する力（以下離脱力という）を大きくして、作業性を確保しつつ良好な固定性を得ることができる（例えば、特許文献１参照）。
【特許文献１】特開昭５９−８６７８２号公報
【発明の開示】
【発明が解決しようとする課題】
【０００５】
ところが、バネ部を上記のように回動させるためには、バネ部の外周面を充分に滑らかにし、しかも、バネ部を有底穴の内壁面に充分に圧接しなければならない。このため、上記固定具では、経時変化等によりバネ部のバネ定数が低下するとバネ部の外周面が有底穴内壁面に対して滑ってバネ部が良好に回動せず、離脱力を充分に大きくすることができない可能性があった。
【０００６】
そこで、本発明は、挿入力に対して離脱力を大きくすることができ、しかも耐久性に優れた固定具を提供することを目的としてなされた。
【課題を解決するための手段】
【０００７】
上記目的を達するためになされた請求項１記載の発明は、穴部に挿入される脚部と、該脚部から外周方向に突出し、上記脚部の挿入時には弾性変形して上記穴部の内壁面に向けて押圧されるバネ部と、を備えた固定具であって、上記脚部の外周に形成され、上記バネ部の少なくとも先端部に対して上記脚部が抜去方向に移動するとき、上記バネ部を外周方向に押圧する突起を、備えたことを特徴としている。
【０００８】
このように構成された本発明では、バネ部の少なくとも先端部に対して脚部が抜去方向に移動するとき、脚部の外周に形成された突起がバネ部を外周方向に押圧する。この押圧によって、バネ部が一層強固に穴部の内壁面に押圧され、離脱力が大きくなる。すなわち、挿入力に対して離脱力が大きくなる。
【０００９】
請求項２記載の発明は、請求項１記載の構成に加え、上記バネ部の上記内壁面への押圧面に、そのバネ部より小さく弾性変形可能な複数の突出片が形成されたことを特徴としている。
【００１０】
本発明では、上記バネ部の上記内壁面への押圧面に複数の突出片が形成され、その突出片は、バネ部より小さく弾性変形可能である。このため、バネ部を上記内壁面に一層良好に固定することができ、脚部が抜去方向に移動してもバネ部の少なくとも先端部を上記内壁面における同一位置に一層良好に固定することができる。よって、抜去時には、バネ部の少なくとも先端部に対して脚部を一層確実に抜去方向に相対移動させることができる。このため、挿入力に対して離脱力が一層大きくなる。
【００１１】
請求項３記載の発明は、請求項２記載の構成に加え、上記バネ部が、上記脚部の先端近傍から上記脚部の抜去方向に傾斜して突出し、上記突出片が、上記抜去方向に対して略直角に突出したことを特徴としている。
【００１２】
本発明では、上記バネ部が脚部の先端近傍からその脚部の抜去方向に傾斜して突出しているので、バネ部の外周が上記内壁面に固定されているだけでも、抜去時にはバネ部が外周方向に広がろうとして離脱力が大きくなる。また、バネ部の上記内壁面への押圧面に形成された突出片が上記抜去方向に対して略直角に突出しているので、バネ部の外周を上記内壁面に良好に固定することができる。このため、挿入力に対して離脱力が一層大きくなる。
【００１３】
請求項４記載の発明は、請求項１〜３のいずれかに記載の構成に加え、上記バネ部の先端部がそのバネ部の他部より厚肉に形成され、上記突起がその先端部近傍に当接して上記バネ部を外周方向に押圧することを特徴としている。
【００１４】
本発明では、バネ部の先端部がそのバネ部の他部より厚肉に形成され、上記突起がその先端部近傍に当接して上記バネ部を外周方向に押圧する。このため、バネ部の少なくとも先端部に対して脚部が抜去方向に移動するとき、突起によってバネ部を外周方向に押圧する動作が一層確実に行える。このため、挿入力に対して離脱力が一層大きくなる。
【００１５】
請求項５記載の発明は、請求項４記載の構成に加え、上記バネ部の上記先端部と上記他部との連接部が、上記バネ部の弾性変形時に上記脚部と対向する側に傾斜面を有し、上記突起が、上記バネ部の少なくとも先端部に対して上記脚部が抜去方向に移動するとき上記傾斜面に当接する傾斜面を有することを特徴としている。
【００１６】
本発明では、バネ部の上記先端部と他部との連接部に設けられた傾斜面と突起に設けられた傾斜面とが当接し合うことによって、突起がバネ部を外周方向に押圧する。このため、突起がバネ部を外周方向に押圧する動作が一層円滑になる。
【００１７】
請求項６記載の発明は、請求項４または５記載の構成に加え、上記脚部及びバネ部の上記穴部への挿入時には、上記バネ部の先端部が上記脚部の外周に当接することを特徴としている。
【００１８】
本発明では、上記脚部及びバネ部の上記穴部への挿入時には、バネ部の先端部が脚部の外周に当接するので、その先端部に対して脚部が抜去方向に移動するとき、突起によってバネ部を外周方向に押圧する動作が一層確実に行える。このため、挿入力に対して離脱力が一層大きくなる。
【発明の効果】
【００１９】
前述したように、請求項１記載の発明では、挿入力に対して離脱力を良好に大きくすることができるといった効果が生じる。また、請求項１記載の発明では、脚部に上記突起を設けることによってバネ部を外周方向に押圧しているので、上記離脱力を大きくする効果は経時変化の影響を受け難く耐久性に優れている。
【００２０】
請求項２記載の発明では、請求項１記載の発明の効果に加えて、バネ部を一層確実に外周方向に押圧することができ、延いては、挿入力に対して離脱力を一層良好に大きくすることができるといった効果が生じる。
【００２１】
請求項３記載の発明では、バネ部の外周を穴部の内壁面に一層良好に固定することができ、請求項２記載の発明の効果に加えて、挿入力に対して離脱力を一層良好に大きくすることができるといった効果が生じる。
【００２２】
請求項４記載の発明では、突起によってバネ部を外周方向に押圧する動作が一層確実に行え、請求項１〜３のいずれかに記載の発明の効果に加えて、挿入力に対して離脱力を一層良好に大きくすることができるといった効果が生じる。
【００２３】
請求項５記載の発明では、請求項４記載の発明の効果に加えて、突起が一層円滑にバネ部を外周方向に押圧することができ、挿入力に対して離脱力を一層良好に大きくすることができるといった効果が生じる。
【００２４】
請求項６記載の発明では、突起によってバネ部を外周方向に押圧する動作が一層確実に行え、請求項４または５記載の発明の効果に加えて、挿入力に対して離脱力を一層良好に大きくすることができるといった効果が生じる。
【発明を実施するための最良の形態】
【００２５】
次に、本発明の実施の形態を図面と共に説明する。図１は、本発明が適用された木部用クランプ１の構成を表す正面図である。図１に示すように、この木部用クランプ１は、底面が平面状で表面に円柱面状の窪み３ａが形成された基台３と、その基台３の両端に連接して円柱面状に湾曲した腕５，７と、基台３の底面を木部等に穿設された有底穴９９（図３参照）に固定するためのクランプ部１０とを備え、弾性を有する合成樹脂（例えば、ＰＰ，ＰＡ，ＰＥ，ＰＳ等）にて一体成形されている。
【００２６】
基台３は、平面視略長方形に形成され、腕５，７は、上記円柱面の軸に沿った対向する２辺に連接されている。腕５，７が構成する円柱面の軸も窪み３ａの円柱面の軸と平行に配設されている。また、一方の腕５の内側には断面がのこぎり歯状の多数の溝５ａが形成され、他方の腕７の外側には溝５ａと係合する突起７ａが形成されている。このため、基台３の窪み３ａに図示しない電線束を載置し、腕７，５を順次その電線束に覆い被せるように折り曲げ、突起７ａを適宜の溝５ａと係合させれば、基台３上に上記電線束を固定することができる。
【００２７】
次に、図２（Ａ）は、本実施の形態の特徴部分であるクランプ部１０の構成を表す拡大図、図２（Ｂ）はそのバネ部１３の構成を表す下面図である。図１及び図２（Ａ）に示すように、クランプ部１０は、基台３の底面から垂直に突出した脚部１１と、その脚部１１の先端から外周方向に突出し、脚部１１の基端方向に傾斜したバネ部１３とを備えている。なお、バネ部１３は、脚部１１の中心軸に対称に一対設けられている。
【００２８】
また、バネ部１３は先端部１３ａが他部１３ｂより厚肉に形成され、その他部１３ｂと先端部１３ａとの連接部１３ｃは、脚部１１と対向する側に傾斜面１３ｄを有している。更に、先端部１３ａには、先端側でかつ脚部１１と対向する側に、矩形の切り欠き１３ｅが形成されている。
【００２９】
一方、脚部１１の外周面には、上記傾斜面１３ｄと対向する傾斜面１５ａを備えた突起１５が形成されている。更に、バネ部１３の外周面には、バネ部１３よりも小さく平面視略扇形の突出片１７が、各５個ずつ、脚部１１の中心軸に垂直方向に突出して形成されている。
【００３０】
次に、このように構成されたクランプ部１０の動作について、図３の模式図を用いて説明する。クランプ部１０を木部等に穿設された有底穴９９（本発明の穴部に相当）に挿入すると、図３（Ａ）に示すように、突出片１７が有底穴９９の内壁面に押圧されて、突出片１７及びバネ部１３は有底穴９９の開口部方向に弾性変形する。このとき、バネ部１３の先端部１３ａは脚部１１の外周面に当接し、バネ部１３の傾斜面１３ｄは突起１５の傾斜面１５ａに当接する。
【００３１】
このとき必要となる挿入力Ｆ１は、バネ部１３及び突出片１７を図３（Ａ）の状態に変形させるための必要最小限の力に、突出片１７と有底穴９９の内壁面との間の摩擦抵抗を加えた大きさとなる。この状態では、突出片１７を有底穴９９の内壁面に圧接することにより、木部用クランプ１は有底穴９９に良好に固定される。なお、切欠１３ｅ（図２参照）には、先端部１３ａの先端を撓み易くする効果があり、延いては、突出片１７を有底穴９９の開口部方向に倒れ易くして挿入力Ｆ１を一層小さくする効果がある。
【００３２】
次に、この状態から脚部１１に抜去方向の力（離脱力Ｆ２）を加えると、図３（Ｂ）に示すように、バネ部１３の先端部１３ａが突起１５に乗り上げ、これによってバネ部１３は外周方向に押圧される。すると、突出片１７がバネ部１３と有底穴９９の内壁面とに挟まれて更に変形し、突出片１７と有底穴９９の内壁面との間の摩擦抵抗が極めて大きくなるため、上記挿入力Ｆ１より大きな離脱力Ｆ２を加えないとクランプ部１０を有底穴９９から抜去することができない。
【００３３】
このように、木部用クランプ１では、挿入力Ｆ１よりも離脱力Ｆ２を大きくすることにより、電線等の固定作業の作業性を確保しつつ良好な固定性を得ることができる。しかも、突起１５の傾斜面１５ａによってバネ部１３の傾斜面１３ｄを押圧することによって離脱力Ｆ２を大きくしているので、径時変化の影響を受け難く耐久性に優れている。
【００３４】
なお、上記実施の形態の木部用クランプ１は、基本的には木板等の木部に穿設された有底穴９９への取り付け用であるが、貫通穴にも適応でき、更に、金属板でも、若干の板厚許容はあるものの穴が空いていれば取り付けは可能である。すなわち、金属板に応用した場合、突出片１７が金属板のエッジに引っ掛かることによって取り付けが可能となる。
【００３５】
また、本発明は上記実施の形態に何等限定されるものではなく、本発明の要旨を逸脱しない範囲で種々の形態で実施することができる。例えば、バネ部，突起，突出片等の形状は、上記の他にも種々に変形することができる。
【００３６】
図４は、バネ部１３及び突出片１７の形状を異ならせた変形例としてのクランプ部２０を表す正面図である。このクランプ部２０のクランプ部１０に対する変更点は、先端部１３ａに、傾斜面１３ｄの先端と連接して外側に開くように面取り部１３ｆを形成し、その面取り部１３ｆより先端側のバネ部１３及び突出片１７を切除した点である。このように構成されたクランプ部２０では、挿入力Ｆ１を一層低減し、かつ、離脱力Ｆ２を一層増加させることができる。
【００３７】
すなわち、挿入時には、先端部１３ａが脚部１１に殆ど当接しないため（図５の模式図参照）、挿入力Ｆ１を一層低減することができる。また、先端部１３ａの先端は、面取り部１３ｆを形成したことによってある程度内側に撓むことができる。このため、小さい有底穴９９に挿入した場合にも突出片１７が潰れるのを防止することができ（図５の模式図参照）、延いては、離脱力Ｆ２を一層増加させることができる。
【００３８】
更に、上記各実施の形態以外の形態としては、穴部の内壁面とバネ部の外周面との間に充分な摩擦抵抗が得られる場合は、突出片を省略してバネ部の外周面を上記内壁面に直接圧接してもよく、突出片１７を設ける代わりにバネ部１３の外周面にギザギザの溝を形成してもよい。但し、上記のように突出片１７を設けた方が、バネ部１３の少なくとも先端部１３ａを有底穴９９の同一位置に一層良好に固定することができ、離脱力Ｆ２を一層良好に大きくすることができる。
【００３９】
また更に、有底穴９９への挿入時にも、先端部１３ａと脚部１１との間に隙間ができるようにしてもよい。但し、上記実施の形態では、挿入時に先端部１３ａが脚部１１の外周面に当接するので、突起１５によってバネ部１３を外周方向に押圧する動作が一層確実に行える。このような構成は、各部の大きさを有底穴９９の大きさに合わせて設計することによってなされることはいうまでもないが、突出片１７よりもバネ部１３を変形し易くすれば一層設計が容易になる。すなわち、この場合、バネ部１３が先に変形して先端部１３ａが脚部１１の外周面に当接し、続いて、有底穴９９の大きさに応じて突出片１７が変形する。従って、突出片１７よりもバネ部１３を変形し易くした場合、先端部１３ａを脚部１１の外周面に当接させた状態で木部用クランプ１を使用可能な有底穴９９の直径の許容範囲が広がる。
【図面の簡単な説明】
【００４０】
【図１】本発明が適用された木部用クランプの構成を表す正面図である。
【図２】その木部用クランプのクランプ部の構成を表す拡大図及び下面図である。
【図３】そのクランプ部の動作を表す模式図である。
【図４】クランプ部の変形例の構成を表す正面図である。
【図５】そのクランプ部の挿入時の形状を表す模式図である。
【符号の説明】
【００４１】
１…木部用クランプ    ３…基台    ５，７…腕      １０，２０…クランプ部
１１…脚部          １３…バネ部  １３ａ…先端部    １３ｂ…他部
１３ｃ…連接部    １３ｄ，１５ａ…傾斜面    １５…突起    １７…突出片
【図１】
2005076740.tif 000003
【図２】
2005076740.tif 000004
【図３】
2005076740.tif 000005
【図４】
2005076740.tif 000006
【図５】
2005076740.tif 000007